【手続補正書】
【提出日】平成18年1月31日(2006.1.31)
【手続補正１】
【補正対象書類名】特許請求の範囲
【補正対象項目名】全文
【補正方法】変更
【補正の内容】
【特許請求の範囲】
【請求項１】
第１液中に、有機ボランアミン錯体及び少なくとも１個の複素環開環性部分を含む１種又はそれ以上の化合物を、そして第２液中に、複素環開環性官能基を含む化合物の重合を開始できるルイス酸触媒及び遊離基重合可能な化合物を、含んでなり、前記複素環開環性部分が式：
【化１】
2005519175.tif 000001
（式中、Ｒ11及びＲ12は、各繰返しにおいてそれぞれ独立して、１個又はそれ以上の窒素、酸素、硫黄又はハロゲン原子を場合によっては含む炭化水素をベースとする部分を表すが、Ｒ12は水素であることができ、そしてＲ11が結合していない、全ての可能な位置に結合でき、Ｇは酸素であり、そしてｋは１より大きい整数である）で表わされる２液型重合性組成物。
【請求項２】
ｋが２〜１０である請求項１に記載の組成物。
【請求項３】
前記第２液が第１液及び第２液の接触時に有機ボランアミン錯体を脱錯化できる脱錯化剤を更に含む請求項１又は２に記載の２液型組成物。
【請求項４】
請求項１〜３のいずれか１項に記載の重合性組成物の各成分を、複素環開環性部分を含む１種又はそれ以上の化合物及び遊離基重合可能な化合物が重合されるような条件下で、接触させることを含んでなる重合方法。
【請求項５】
（ａ）請求項１〜３のいずれか１項に記載の組成物の各成分を、重合が開始されるような条件下で、接触させ；
（ｂ）接着剤組成物を２つ又はそれ以上の基体と接触させ；
（ｃ）接着剤組成物が２つ又はそれ以上の基体の間に位置するように２つ又はそれ以上の基体を配置して、それらを互いに接触させ；そして
（ｄ）接着剤を硬化させて、２つ又はそれ以上の基体を接着させる
ことを含んでなる２つ又はそれ以上の基体の接着方法。
【請求項６】
請求項１〜３のいずれか１項に記載の組成物を、表面エネルギーが低いポリマーの表面の少なくとも一部と接触させ、そして有機ボランアミン錯体を解離させることによって、形成されるポリマーが表面エネルギーの低いポリマーの表面に存在するようにモノマー、オリゴマー、ポリマー又はそれらの混合物の重合を開始することによって表面エネルギーの低いポリマーの表面を改質する方法。
【請求項７】
請求項１〜３のいずれか１項に記載の組成物の各成分を接触させ、接触させられた組成物を基体の１つ又はそれ以上の表面と接触させ、そして被覆組成物を硬化させることを含んでなる基体の被覆方法。
【請求項８】
請求項１〜３のいずれか１項に記載の組成物を含んでなる被覆組成物。
【手続補正２】
【補正対象書類名】明細書
【補正対象項目名】００６１
【補正方法】変更
【補正の内容】
【００６１】
Ｒ11及びＲ12は、各繰返しにおいてそれぞれ独立して、１個又はそれ以上の窒素、酸素、硫黄又はハロゲン原子を場合によっては含む炭化水素をベースとする部分を表す。Ｒ12は場合によっては水素であることができ、Ｒ11が結合していない、環上の全ての可能な位置に結合できる。Ｇは、各繰返しにおいてそれぞれ独立して、酸素、窒素又は硫黄を表す。ｋは、各繰返しにおいてそれぞれ別個に、１〜１０の整数を表す。より好ましくは、Ｒ11は、各繰返しにおいてそれぞれ独立して、アリール、アルカリール又はポリアルキレンポリエーテルをベースとする部分である。Ｇは、好ましくは酸素又は窒素、最も好ましくは酸素である。ｋは、より好ましくは１より大きく、更に好ましくは２又はそれ以上である。ｋは、より好ましくは６又はそれ以下、更に好ましくは４又はそれ以下、最も好ましくは３又はそれ以下である。本明細書中で使用する用語「オキシラン」は、グリシジル部分を有する任意の化合物を意味する。このような化合物はまた、エポキシ樹脂とも称する。本発明において有用な好ましいエポキシ樹脂の代表的なものは、ビスフェノールをベースとするエポキシ樹脂、例えば米国特許第５，３０８，８９５号、８欄６行に開示された、式６で表されるものであり、軟質エポキシ樹脂は８欄９行並びに式９とそれに続くその説明に開示されたものである。このようなオキシラン含有物質の例は、ビスフェノールＡのジグリシジルエーテル、トリス−２−３−エポキシプロピルイソシアヌレート、テトラフェニロールエタングリシジルエーテル、ポリ（フェニルグリシジルエーテル−コ−ホルムアルデヒド）、ポリ（フェニルグリシジルエーテル−コ−ジシクロペンタジエン及びトリメチロプロパントリグリシジルエーテル、全ての他のグリシジル修飾脂肪族オキシラン含有物質、テトラグリシジルメチレンアニリン、グリシジルエーテル修飾ポリ（ジメチルシロキサン）、全ての他のグリシジルエーテル、グリシジルエステル又はグリシジルアミンである。本明細書中で使用する用語「アジリジン」は、環中に窒素を含む３員環を意味する。有用なアジリジン含有分子の例は、トリメチロールプロパントリス［２−メチル−１−アジリジンプロピオネート］、ペンタエリトリトールトリス［３−（１−アジリジニル）プロピオネート］、２，４，６−トリス−アジリジン−１−イル−（１，３，５）トリアジン、２，３−ジフェニルアジリジン及び１−ブチリルアリジンである。
【手続補正３】
【補正対象書類名】明細書
【補正対象項目名】００８６
【補正方法】変更
【補正の内容】
【００８６】
以下の表中に以下の略語を使用する。
ＭＭＡはメタクリル酸メチルである。
ＰＭＭＡはポリ（メチルメタクリレート）である。
ＡＡはアクリル酸である。
ＧＭＡはメタクリル酸グリシジルである。
ＴＥＢはトリエチルボランである。
ＴＢＢはトリｎ−ブチルボランである。
ＭＯＰＡは３−メトキシプロピルアミンである。
ＩＰＤＡはイソホロンジアミンである。
ＤＭＡＰＡはＮ，Ｎ−ジメチルアミノ３−プロピルアミンである。
ＩＰＤＩはイソホロンジイソシアネートである。
ＤＧＥＢＡはビスフェノール−Ａのジグリシジルエーテルである。
ＴＲＩＰＯＸはトリメチロールプロパントリグリシジルエーテルである。
ＴＲＩＳはトリス（２，３−エポキシプロピル）イソシアヌレートである。
ＴＰＥ−ＧＥはテトラフェニロールエタングリシジルエーテルである。
ＰＰＧＥＦはポリ（（フェニルグリシジルエーテル）−コ−ホルムアルデヒド）である。
ＰＰＧＥＤＣはポリ（（フェニルグリシジルエーテル）−コ−ジシクロペンタジエン）である。
ＴＲＩＺはトリメチロールプロパントリス（２−メチル−１−アジリジンプロピオネート）である。
ＢＦ3はトリフルオロボランである。
ＢＦ3Ｏ（Ｍｅ）2は三フッ化硼素のジメチルエーテル錯体である。
ＢＦ3Ｏ（ＥＴ）2は三フッ化硼素のジエチルエーテル錯体である。
ＢＦ3ＴＨＦは三フッ化硼素のテトラヒドロフラン錯体である。
ＳｎＣｌ4は四塩化錫である。
ＺｎＣｌ2は二塩化亜鉛である。
ｉＰＰはＢａｓｅｌｌ  Ｉｎｃ．（Ｗｉｌｍｉｎｇｔｏｎ，Ｄｅｌａｗａｒｅ）の製品であるアイソタクチック・ポリプロピレン６５２４である。
ナイロンは全ての場合において、Ｔｈｅ  Ｄｏｗ  Ｃｈｅｍｉｃａｌ  Ｃｏｍｐａｎｙの製品である、熱安定化３５％ガラス入りナイロン６である。
ＳＰＳ−Ｎｙｌｏｎは全ての場合において、Ｔｈｅ  Ｄｏｗ  Ｃｈｅｍｉｃａｌ  Ｃｏｍｐａｎｙの製品である３０％  ｓＰＳ（シンジオタクチック・ポリスチレン）／３５％ガラス繊維入り、熱安定化ナイロン６ブレンドである。
ＰＥＴは全ての場合において、Ｔｉｃｏｎａ  Ｃｏｒｐｏｒａｔｉｏｎの無機化合物入りＰＥＴ、ＥＫＸ−２１５である。
ＰＴＦＥはＭｃＭａｓｔｅｒ−Ｃａｒｒ  Ｃｏｒｐｏｒａｔｉｏｎ（Ｃｌｅｖｅｌａｎｄ，Ｏｈｉｏ）製の機械用シートの形態で購入されたポリテトラフルオロエチレンである。
Ｉｃｅｍａｎは２−イソシアナトエチルメタクリレートである。
ＥＧＤＭはエチレングリコールジメタクリレートである。
ＴＥＰＡはテトラエチルペンタミンである。
ＶＳ５５００は３Ｍ  Ｃｏｒｐ．（Ｍｉｎｎｅａｐｏｌｉｓ，Ｍｉｎｎｅｓｏｔａ）の製品である中空ガラス球である。
ＧＬＹはグリシドール（２−グリシジルエタノール）である。
Ｐａｒａｌｏｉｄ  Ｅｘｌ−２６９１はＭＢＳ基材コアシェルゴム（Ｒｏｈｍ  ａｎｄ
Ｈａａｓから入手できるスチレンブタジエンコポリマーコアを有するメチルメタクリレート基材ポリマーシェル）である。
Ｋｅｌｐｏｘｙ  ６２７２−１００はエポキシ末端ＣＴＢＮ（Ｒｅｉｃｈｈｏｌｄから入手できるカルボキシル末端ブタジエンアクリロニトリルコポリマー）である。
ＡＴＢＮ  １３００Ｘ１６  ＰｏｌｙｍｅｒはＢＦ  Ｇｏｏｄｒｉｃｈから入手できるアミン末端ブタジエンアクリロニトリルコポリマーである。
【手続補正４】
【補正対象書類名】明細書
【補正対象項目名】０１０６
【補正方法】変更
【補正の内容】
【０１０６】
【表７】
2005519175.tif 000002